(57)【要約】移動通信システムの論理チャネル多重化において、同一種類の二つ以上の共用論理チャネルは一つの伝送チャネルに多重化される。伝送チャネルがそれぞれ異なる種類の各論理チャネルを運搬するとき、共用論理チャネル識別子（ＣＬＩ）は、異なる各論理チャネルが識別されるようにＭＡＣ  ＰＤＵヘッダに挿入されて定義される。同一サービス内で異なるＱｏＳを有する多重ストリームあるいは多重サービスは、単一端末（ＵＥ）に提供されて処理される。
2006505209.tif 000002
【特許請求の範囲】
【請求項１】
移動通信システムにおいて、
マルチメディアサービスを提供するために、同一種類の各共用論理チャネルを一つの伝送チャネルに多重化することを特徴とするチャネル多重化システム。
【請求項２】
前記マルチメディアサービスは、
マルチメディア放送サービスあるいはマルチメディアマルチキャストサービスであることを特徴とする請求項１記載のチャネル多重化システム。
【請求項３】
前記多重化過程は、
Ｍｅｄｉａ  Ａｃｃｅｓｓ  Ｃｏｎｔｒｏｌ（ＭＡＣ）階層で行われることを特徴とする請求項１記載のチャネル多重化システム。
【請求項４】
前記ＭＡＣは、
Ｃｏｍｍｏｎ  ＭＡＣであることを特徴とする請求項３記載のチャネル多重化システム。
【請求項５】
前記ＭＡＣは、
マルチメディア放送伝送チャネルが含まれた共用伝送チャネルを管理する階層であることを特徴とする請求項３記載のチャネル多重化システム。
【請求項６】
前記ＭＡＣは、
マルチメディアマルチキャスト伝送チャネルが含まれた共用伝送チャネルを管理する階層であることを特徴とする請求項３記載のチャネル多重化システム。
【請求項７】
前記移動通信システムは、
共用論理チャネルを識別する識別子を各共用論理チャネルに割り当てることを特徴とする請求項１記載のチャネル多重化システム。
【請求項８】
前記識別子の割当は、
地上接続網のＲａｄｉｏ  Ｒｅｓｏｕｒｃｅ  Ｃｏｎｔｒｏｌ（ＲＲＣ）階層が担当することを特徴とする請求項７記載のチャネル多重化システム。
【請求項９】
前記地上接続網のＲＲＣ階層は、
地上接続網のＭＡＣ階層に前記識別子の割当情報を伝達することを特徴とする請求項８記載のチャネル多重化システム。
【請求項１０】
前記地上接続網のＲＲＣ階層は、
端末のＲＲＣ階層に前記識別子の割当情報を伝達することを特徴とする請求項９記載のチャネル多重化システム。
【請求項１１】
前記共用論理チャネルが放送またはマルチキャストサービスを提供する場合、
前記地上接続網のＲＲＣ階層は、前記放送またはマルチキャストサービスを受信しようとする端末グループのＲＲＣ階層に前記識別子の割当情報を伝達することを特徴とする請求項１０記載のチャネル多重化システム。
【請求項１２】
前記移動通信システムは、
割当を受けた識別子を該当のチャネルの各データユニットに付加することを特徴とする請求項７記載のチャネル多重化システム。
【請求項１３】
前記識別子は、
同一種類の各共用論理チャネルのうち、一つの特定の共用論理チャネルを識別することを特徴とする請求項７記載の論理チャネル多重化システム。
【請求項１４】
同一種類の各共用論理チャネルは、
互いに異なる識別子の割当を受けることを特徴とする請求項１記載のチャネル多重化システム。
【請求項１５】
各共用論理チャネルは、
特定のＲａｄｉｏ  Ｌｉｎｋ  Ｃｏｎｔｒｏｌ（ＲＬＣ）階層エンティティからデータユニットを受信することを特徴とする請求項１記載のチャネル多重化システム。
【請求項１６】
移動通信システムにおいて、
同一種類の各共用論理チャネルのデータユニットを一つの伝送チャネルに多重化する過程と、
多重化される各データユニットごとに識別子を付加して伝送する過程と、から構成されたことを特徴とする論理チャネル多重化方法。
【請求項１７】
前記識別子は、
同一種類の各共用論理チャネルのうち、一つの特定の共用論理チャネルを識別することを特徴とする請求項１６記載の論理チャネル多重化方法。
【請求項１８】
前記移動通信システムは、
共用論理チャネルを識別する識別子を各共用論理チャネルに割り当てることを特徴とする請求項１６記載の論理チャネル多重化方法。
【請求項１９】
前記識別子の割当は、
地上接続網のＲＲＣ階層が担当することを特徴とする請求項１８記載の論理チャネル多重化方法。
【請求項２０】
前記地上接続網のＲＲＣ階層は、
地上接続網のＭＡＣ階層に前記識別子の割当情報を伝達することを特徴とする請求項１９記載の論理チャネル多重化方法。
【請求項２１】
前記地上接続網のＲＲＣ階層は、
端末のＲＲＣ階層に前記識別子の割当情報を伝達することを特徴とする請求項２０記載の論理チャネル多重化方法。
【請求項２２】
前記共用論理チャネルが放送またはマルチキャストサービスを提供する場合、
前記地上接続網のＲＲＣ階層は、前記放送またはマルチキャストサービスを受信しようとする端末グループのＲＲＣ階層に前記識別子の割当情報を伝達することを特徴とする請求項２１記載の論理チャネル多重化方法。
【請求項２３】
同一種類の各共用論理チャネルは、
互いに異なる識別子の割当を受けることを特徴とする請求項１６記載の論理チャネル多重化方法。
【請求項２４】
各共用論理チャネルのデータユニットは、
特定のＲＬＣ階層エンティティから伝送されることを特徴とする請求項１６記載の論理チャネル多重化方法。
【請求項２５】
前記多重化過程は、
ＭＡＣ階層で行われることを特徴とする請求項１６記載の論理チャネル多重化方法。
【請求項２６】
前記ＭＡＣ階層は、
マルチメディア放送またはマルチキャスト伝送チャネルが含まれた共用伝送チャネルを管理するＭＡＣ階層であることを特徴とする請求項２５記載の論理チャネル多重化方法。
【請求項２７】
識別子を含む前記データユニットは、
物理階層サービスにより、受信側のＭＡＣ階層に伝達されることを特徴とする請求項２６記載の論理チャネル多重化方法。
【請求項２８】
前記マルチメディアサービスは、
マルチメディア放送サービスあるいはマルチメディアマルチキャストサービスであることを特徴とする請求項１６記載のチャネル多重化方法。
【請求項２９】
移動通信システムにおいて、
同一種類の各共用論理チャネルのデータユニットを一つの伝送チャネルに多重化する過程と、
多重化されたデータユニットを受信側に伝送する過程と、
伝送されたデータユニットを同一種類の二つ以上の共用論理チャネルに逆多重化する過程と、から構成されたことを特徴とする論理チャネル多重化方法。
【請求項３０】
前記多重化過程は、
多数の同一種類の共用論理チャネルを通して受信されたデータを多重化する過程と、
受信されたデータのヘッダに識別子を付けてプロトコルデータユニット（ＰＤＵ）を生成する過程と、
生成されたＰＤＵを特定の伝送チャネルを通して伝送する過程と、から構成されたことを特徴とする請求項２９記載の論理チャネル多重化方法。
【請求項３１】
前記識別子は、
同一種類の各共用論理チャネルのうち、一つの特定の共用論理チャネルを識別することを特徴とする請求項３０記載の論理チャネル多重化方法。
【請求項３２】
前記共用論理チャネルの各データユニットは、
特定の各ＲＬＣ階層エンティティから伝送されることを特徴とする請求項３０記載の論理チャネル多重化方法。
【請求項３３】
前記移動通信システムは、
共用論理チャネルを識別する識別子を各共用論理チャネルに割り当てることを特徴とする請求項２９記載の論理チャネル多重化方法。
【請求項３４】
前記識別子の割当は、
地上接続網のＲＲＣ階層が担当することを特徴とする請求項３３記載の論理チャネル多重化方法。
【請求項３５】
前記地上接続網のＲＲＣ階層は、
地上接続網のＭＡＣ階層に前記識別子の割当情報を伝達することを特徴とする請求項３４記載の論理チャネル多重化方法。
【請求項３６】
前記地上接続網のＲＲＣ階層は、
端末のＲＲＣ階層に前記識別子の割当情報を伝達することを特徴とする請求項３５記載の論理チャネル多重化方法。
【請求項３７】
前記共用論理チャネルが放送またはマルチキャストサービスを提供する場合、
前記地上接続網のＲＲＣ階層は、前記放送またはマルチキャストサービスを受信しようとする端末グループのＲＲＣ階層に前記識別子の割当情報を伝達することを特徴とする請求項３６記載の論理チャネル多重化方法。
【請求項３８】
前記逆多重化過程は、
特定の伝送チャネルを通してデータを受信する過程と、
受信されたデータの識別子を検査して逆多重化する過程と、
前記識別子が指定する共用論理チャネルを通して、受信された各データを上位階層に伝送する過程と、から構成されたことを特徴とする請求項２９記載の論理チャネル多重化方法。
【請求項３９】
受信された各データは、
特定のＲＬＣ階層エンティティに伝送されることを特徴とする請求項３８記載の論理チャネル多重化方法。
【請求項４０】
前記多重化過程は、
ＭＡＣ階層で行われることを特徴とする請求項２９記載の論理チャネル多重化方法。
【請求項４１】
前記ＭＡＣ階層は、
放送またはマルチキャスト伝送チャネルを含む共用伝送チャネルを管理するＭＡＣ階層であることを特徴とする請求項４０記載の論理チャネル多重化方法。
【請求項４２】
同一種類の各共用論理チャネルは、
互いに異なる識別子の割当を受けることを特徴とする請求項２９記載の論理チャネル多重化方法。
【請求項４３】
識別子を含む前記データユニットは、
物理階層サービスにより、受信側のＭＡＣ階層に伝達されることを特徴とする請求項２９記載の論理チャネル多重化方法。
【請求項４４】
前記マルチメディアサービスは、
マルチメディア放送サービスあるいはマルチメディアマルチキャストサービスであることを特徴とする請求項２９記載のチャネル多重化方法。
【請求項４５】
各共用論理チャネルは、
それぞれ異なる種類のメディアデータを伝送することを特徴とする請求項２９記載のチャネル多重化方法。
【請求項４６】
各メディアデータは、
異なるＱｕａｌｉｔｙ  ｏｆ  Ｓｅｖｉｃｅ（ＱｏＳ）を有することを特徴とする請求項４５記載のチャネル多重化方法。
【発明の詳細な説明】
【技術分野】
【０００１】
本発明は、移動通信システムに関するもので、特に、移動通信システムの論理チャネル多重化方法及びその装置に関するものである。
【背景技術】
【０００２】
最近、移動通信システムが飛躍的に発展してきたが、大容量のデータ通信サービスにおいては、未だに既存の有線通信システムの性能に追いついていない。このため、世界各国では、大量のデータ通信を可能にする通信システム、ＩＭＴ−２０００の技術開発を推進しており、その技術の標準化のために、国家相互間の協力が活発に進行されている。
【０００３】
欧州式ＩＭＴ−２０００システムであるＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は、欧州式移動通信標準であるＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システムから進化した第３世代移動通信システムであって、ＧＳＭ核心網（Ｃｏｒｅ  Ｎｅｔｗｏｒｋ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）接続技術に基づいて、より向上した通信サービスの提供を目標にする。
【０００４】
ＵＭＴＳの標準化作業のために、１９９８年１２月に欧州のＥＴＳＩ、日本のＡＲＩＢ／ＴＴＣ、米国のＴ１及び韓国のＴＴＡは、第３世代共同プロジェクト（Ｔｈｉｒｄ  Ｇｅｎｅｒａｔｉｏｎ  Ｐａｒｔｎｅｒｓｈｉｐ  Ｐｒｏｊｅｃｔ：以下、’３ＧＰＰ’と称する）というプロジェクトを構成し、現在までＵＭＴＳの細部的な標準明細書（Ｓｐｅｃｉｆｉｃａｔｉｏｎ）を作成している。
【０００５】
３ＧＰＰでは、ＵＭＴＳの迅速且つ効率的な技術開発のために、各網構成要素とこれらの動作に対する独立性を考慮して、ＵＭＴＳの標準化作業を５個のＴｅｃｈｎｉｃａｌ  Ｓｐｅｃｉｆｉｃａｔｉｏｎ  Ｇｒｏｕｐｓ（ＴＳＧ）に分けて進行している。
【０００６】
各ＴＳＧは、関連した領域内で標準規格の開発、承認及び管理を担当するが、これらのうちＲａｄｉｏ  Ａｃｃｅｓｓ  Ｎｅｔｗｏｒｋ（ＲＡＮ）グループ（以下、’ＴＳＧ  ＲＡＮ’と称する）は、ＵＭＴＳでＷＣＤＭＡ接続技術を支援するための新しい無線接続網であるＵＭＴＳ  Ｔｅｒｒｅｓｔｒｉａｌ  Ｒａｄｉｏ  Ａｃｃｅｓｓ  Ｎｅｔｗｏｒｋ（以下、’ＵＴＲＡＮ’と称する）の機能、要求事項、及びインターフェースに対する規格を開発する
図１は一般的なＵＭＴＳ網の構成図である。
【０００７】
図１に示したように、ＵＭＴＳシステムは、大きく端末（ｏｒ  Ｕｓｅｒ  Ｅｑｕｉｐｍｅｎｔ（ＵＥ））、ＵＴＲＡＮ１００及び核心網２００により構成されている。
【０００８】
前記ＵＴＲＡＮ１００は、一つ以上のＲａｄｉｏ  Ｎｅｔｗｏｒｋ  Ｓｕｂ−ｓｙｓｔｅｍｓ（ＲＮＳ）１１０、１２０により構成される。そして、各ＲＮＳ１１０、１２０は、Ｒａｄｉｏ  Ｎｅｔｗｏｒｋ  Ｃｏｎｔｒｏｌｌｅｒ（ＲＮＣ）１１１と、前記ＲＮＣ１１１により管理される多数のＮｏｄｅ  Ｂ１１２、１１３とから構成される。前記ＲＮＣ１１１は、無線資源の割当及び管理を担当し、核心網２００とのアクセスポイント（Ａｃｃｅｓｓ  Ｐｏｉｎｔ）の役割を担当する。
【０００９】
前記Ｎｏｄｅ  Ｂ１１２、１１３は、アップリンクを通して端末の物理階層から送る情報を受信し、ダウンリンクを通して端末にデータを送信する。前記Ｎｏｄｅ  Ｂ１１２、１１３は、端末に対するＵＴＲＡＮ１００のアクセスポイントの役割を担当する。
【００１０】
前記ＵＴＲＡＮ１００の主な機能は、端末と核心網２００間の通話のためにＲａｄｉｏ  Ａｃｃｅｓｓ  Ｂｅａｒｅｒ（ＲＡＢ）を構成して維持することである。前記核心網２００は、終端間（ｅｎｄ−ｔｏ−ｅｎｄ）のＱｕａｌｉｔｙ  ｏｆ  Ｓｅｒｖｉｃｅ（ＱｏＳ）要求事項をＲＡＢに適用し、ＲＡＢは、核心網２００が設定したＱｏＳ要求事項を支援する。このように、ＵＴＲＡＮ１００がＲＡＢを構成して維持することで、終端間のＱｏＳ要求が充足される。前記ＲＡＢサービスは、再び下位概念のｌｕ  Ｂｅａｒｅｒ  ＳｅｒｖｉｃｅとＲａｄｉｏ  Ｂｅａｒｅｒ  Ｓｅｒｖｉｃｅとに分けられる。前記ｌｕ  Ｂｅａｒｅｒ  Ｓｅｒｖｉｃｅは、ＵＴＲＡＮ１００と核心網２００境界ノード間で、信頼性のある使用者データの伝送を支援する。
【００１１】
前記核心網２００は、回線交換サービスを支援するためのＭｏｂｉｌｅ  Ｓｗｉｔｃｈｉｎｇ  Ｃｅｎｔｅｒ（ＭＳＣ）２１０及びＧａｔｅｗａｙ  Ｍｏｂｉｌｅ  Ｓｗｉｔｃｈｉｎｇ  Ｃｅｎｔｅｒ（ＧＭＳＣ）２２０と、パケット交換サービスを支援するためのＳｅｒｖｉｎｇ  ＧＰＲＳ  Ｓｕｐｐｏｒｔ  Ｎｏｄｅ（ＳＧＳＮ）２３０及びＧＧＳＮ（Ｇａｔｅｗａｙ  ＧＰＲＳ  Ｓｕｐｐｏｒｔ  Ｎｏｄｅ）２４０により構成される。
【００１２】
特定の端末に提供されるサービスは、大きく回線交換サービスとパケット交換サービスとに区分されるが、例えば、一般的な音声通話サービスは、回線交換サービスに属し、インターネット接続を通したウェブブラウジングサービスは、パケット交換サービスに分類される。
【００１３】
まず、回線交換サービスを支援するとき、前記ＲＮＣ１１１は、核心網２００のＭＳＣ２１０と連結され、前記ＭＳＣ２１０は、他の網との接続を管理するＧＭＳＣ２２０と連結される。
【００１４】
パケット交換サービスを支援するとき、前記ＲＮＣ１１１は、核心網２００のＳＧＳＮ２３０及びＧＧＳＮ２４０と連係してサービスを提供する。前記ＳＧＳＮ２３０は、ＲＮＣ１１１に向かうパケット通信を支援し、前記ＧＧＳＮ２４０は、インターネット網などの他のパケット交換網への連結を管理する。
各網構成要素の相互間には、各種の信号と情報を取り交わせる多様なインターフェース（Ｉｎｔｅｒｆａｃｅ）が存在し、ＲＮＣ１１１と核心網２００間のインターフェースをＩｕインターフェースという。特に、前記ＲＮＣ１１１と核心網２００のパケット交換関連システム間のＩｕインターフェースを’Ｉｕ−ＰＳ’といい、ＲＮＣ１１１と核心網２００の回線交換関連システム間のＩｕインターフェースを’Ｉｕ−ＣＳ’という。
【００１５】
図２は、３ＧＰＰ無線接続網規格による端末とＵＴＲＡＮ１００間の無線インターフェース（Ｒａｄｉｏ  Ｉｎｔｅｒｆａｃｅ）プロトコルの構造を示している。
【００１６】
図２に示したように、無線インターフェースプロトコルは、水平的に、物理階層、データリンク階層及びネットワーク階層に分けられ、垂直的に、使用者データ伝送のための使用者平面（Ｕ−Ｐｌａｎｅ）と制御信号（Ｓｉｇｎａｌｉｎｇ）伝送のための制御平面（Ｃ−Ｐｌａｎｅ）とに分けられる。
【００１７】
前記使用者平面は、音声データやＩＰパケットなどの使用者のトラフィック情報を取り扱う領域で、前記制御平面は、網のインターフェースや呼の維持及び管理のための制御情報を取り扱う領域である。
【００１８】
図２の各プロトコル階層は、Ｏｐｅｎ  Ｓｙｓｔｅｍ  Ｉｎｔｅｒｃｏｎｎｅｃｔｉｏｎ（ＯＳＩ）基準モデルの下位３個の階層に基づくもので、第１階層（Ｌ１）、第２階層（Ｌ２）及び第３階層（Ｌ３）に分けられる。
【００１９】
以下、図２の各階層（Ｌ１、Ｌ２及びＬ３）を説明する。
【００２０】
前記Ｌ１階層、即ち物理（Ｐｈｙｓｉｃａｌ）階層は、多様な無線伝送技術を利用して上位階層に情報伝送サービス（Ｉｎｆｏｒｍａｔｉｏｎ  Ｔｒａｎｓｆｅｒ  Ｓｅｒｖｉｃｅ）を提供する。物理階層は、伝送チャネル（Ｔｒａｎｓｐｏｒｔ  Ｃｈａｎｎｅｌ）により、上位階層であるＭｅｄｉｕｍ  Ａｃｃｅｓｓ  Ｃｏｎｔｒｏｌ（ＭＡＣ）階層と連結されている。これらＭＡＣ階層と物理階層は、前記伝送チャネル（Ｔｒａｎｓｐｏｒｔ  Ｃｈａｎｎｅｌ）を通して互いに信号を取り交わす。
【００２１】
前記Ｌ２階層、ＭＡＣ階層、Ｒａｄｉｏ  Ｌｉｎｋ  Ｃｏｎｔｒｏｌ（ＲＬＣ）階層、Ｂｒｏａｄｃａｓｔ／Ｍｕｌｔｉｃａｓｔ  Ｃｏｎｔｒｏｌ（ＢＭＣ）階層及びＰａｃｋｅｔ  Ｄａｔａ  Ｃｏｎｖｅｒｇｅｎｃｅ  Ｐｒｏｔｏｃｏｌ（ＰＤＣＰ）階層により構成される。
【００２２】
前記ＭＡＣ階層は、無線資源の割当及び再割当のためにＭＡＣパラメータの再割当サービスを提供し、論理チャネル（Ｌｏｇｉｃａｌ  Ｃｈａｎｎｅｌ）を通して、上位階層であるＲＬＣ階層と連結されている。伝送される情報の種類によって多様な論理チャネルが提供されるが、一般に、制御平面の情報を伝送する場合は制御チャネル（Ｃｏｎｔｒｏｌ  Ｃｈａｎｎｅｌ）を利用し、使用者平面の情報を伝送する場合はトラフィックチャネル（Ｔｒａｆｆｉｃ  Ｃｈａｎｎｅｌ）を使用する。
【００２３】
前記ＭＡＣ階層は、管理する伝送チャネルの種類によって、ＭＡＣ−ｂ副階層（Ｓｕｂｌａｙｅｒ）、ＭＡＣ−ｄ副階層及びＭＡＣ−ｃ／ｓｈ副階層に区分される。前記ＭＡＣ−ｂ副階層は、システム情報（Ｓｙｓｔｅｍ  Ｉｎｆｏｒｍａｔｉｏｎ）の放送を担当する伝送チャネルであるＢＣＨ（Ｂｒｏａｄｃａｓｔ  Ｃｈａｎｎｅｌ）を管理する。前記ＭＡＣ−ｃ／ｓｈ副階層は、他の各端末と共有されるＦｏｒｗａｒｄ  Ａｃｃｅｓｓ  Ｃｈａｎｎｅｌ（ＦＡＣＨ）やＤｏｗｎｌｉｎｋ  Ｓｈａｒｅｄ  Ｃｈａｎｎｅｌ（ＤＳＣＨ）などの共有伝送チャネルを管理する。ＵＴＲＡＮのＭＡＣ−ｃ／ｓｈ副階層は、Ｃｏｎｔｒｏｌ  Ｒａｄｉｏ  Ｎｅｔｗｏｒｋ  Ｃｏｎｔｒｏｌｌｅｒ（ＣＲＮＣ）に位置し、セル内の全ての端末が共有する各チャネルを管理するので各セルに一つだけ存在する。そして、各端末にも一つのＭＡＣ−ｃ／ｓｈ副階層が存在する。前記ＭＡＣ−ｄ副階層は、特定の端末に対する専用伝送チャネルであるＤｅｄｉｃａｔｅｄ  Ｃｈａｎｎｅｌ（ＤＣＨ）を管理する。従って、ＵＴＲＡＮのＭＡＣ−ｄ副階層は、該当の端末を管理するＳｅｒｖｉｎｇ  Ｒａｄｉｏ  Ｎｅｔｗｏｒｋ  Ｃｏｎｔｒｏｌｌｅｒ（ＳＲＮＣ）に位置し、各端末にも一つのＭＡＣ−ｄ副階層が存在する。
【００２４】
前記ＲＬＣ階層は、信頼性のあるデータの伝送を支援し、上位階層から伝達されたＲＬＣ  Ｓｅｒｖｉｃｅ  Ｄａｔａ  Ｕｎｉｔ（ＲＬＣ  ＳＤＵ）の分割及び連結（Ｓｅｇｍｅｎｔａｔｉｏｎ  ａｎｄ  Ｃｏｎｃａｔｅｎａｔｉｏｎ）機能を行う。そして、ＲＬＣ階層は、上位階層からＲＬＣ  ＳＤＵが伝達されると、各ＲＬＣ  ＳＤＵの大きさを処理容量に合わせて調節した後、ヘッダ（Ｈｅａｄｅｒ）情報を付け加えた所定のデータユニットを生成する。このように生成されたデータユニットをＰｒｏｔｏｃｏｌ  Ｄａｔａ  Ｕｎｉｔ（ＰＤＵ）といい、これらＰＤＵは、前記ＭＡＣ階層に伝達される。ＲＬＣ階層には、ＲＬＣ  ＳＤＵまたはＲＬＣ  ＰＤＵを保存するためのＲＬＣバッファが存在する。
【００２５】
前記ＢＭＣ階層は、核心網から伝達された各Ｃｅｌｌ  Ｂｒｏａｄｃａｓｔ  Ｍｅｓｓａｇｅ（以下、’ＣＢメッセージ’という）をスケジューリングし、これらＣＢメッセージを特定の（各）セルに位置した各端末に放送させる。ＵＴＲＡＮのＢＭＣ階層は、上位階層から伝達されたＣＢメッセージにメッセージＩＤ、シリアルナンバー（Ｓｅｒｉａｌ  Ｎｕｍｂｅｒ）、ｃｏｄｉｎｇ  ｓｃｈｅｍｅなどの情報を付け加えてＢｒｏａｄｃａｓｔ／Ｍｕｌｔｉｃａｓｔ  Ｃｏｎｔｒｏｌメッセージ（ＢＭＣメッセージ）を生成した後、ＲＬＣ階層に伝達する。各ＢＭＣメッセージは、ＲＬＣ階層から論理チャネルＣＴＣＨ（ＣＴＣＨ：Ｃｏｍｍｏｎ  Ｔｒａｆｆｉｃ  Ｃｈａｎｎｅｌ）を通してＭＡＣ階層に伝達される。論理チャネルＣＴＣＨは、伝送チャネルＦＡＣＨと物理チャネルＳ−ＣＣＰＣＨ（Ｓ−ＣＣＰＣＨ：Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。
【００２６】
前記ＰＤＣＰ階層は、ＲＬＣ階層の上位階層であって、ＩＰｖ４やＩＰｖ６のようなネットワークプロトコルを通して伝送されるデータを、帯域幅の相対的に小さい無線インターフェース上で効率的に伝送させる。このために、ＰＤＣＰ階層は、有線網で使用される不要な制御情報を減らす機能を行うが、このような機能をヘッダ圧縮（Ｈｅａｄｅｒ  Ｃｏｍｐｒｅｓｓｉｏｎ）という。ヘッダ圧縮技法には、インターネット標準化グループ、Ｉｎｔｅｒｎｅｔ  Ｅｎｇｉｎｅｅｒｉｎｇ  Ｔａｓｋ  Ｆｏｒｃｅ（ＩＥＴＦ）で定義するＲＦＣ２５０７ヘッダ圧縮技法及びＲＦＣ３０９５（Ｒｏｂｕｓｔ  Ｈｅａｄｅｒ  Ｃｏｍｐｒｅｓｓｉｏｎ：ＲＯＨＣ）技法がある。これら方法は、データのヘッダ（Ｈｅａｄｅｒ）部分で必要とする情報のみを伝送させることで、データの伝送量を減らす。即ち、不要と判断される各ヘッダフィールドを除去するか、各ヘッダフィールドのサイズを減少させることで、ヘッダ部分のデータ量を減少させる。
【００２７】
Ｌ３階層の一番下部には、Ｒａｄｉｏ  Ｒｅｓｏｕｒｃｅ  Ｃｏｎｔｒｏｌ（ＲＲＣ）階層がある。
【００２８】
前記ＲＲＣ階層は、制御平面のみで定義され、各無線ベアラ（Ｒａｄｉｏ  Ｂｅａｒｅｒ）の設定、再設定及び解除と関連して伝送チャネル及び物理チャネルの制御を担当する。前記無線ベアラサービスは、端末とＵＴＲＡＮ間のデータ伝送のために第２階層が提供するサービスを意味し、一般に、無線ベアラが設定されることは、特定のサービスを提供するために必要なプロトコル階層及びチャネルの特性を規定して、それぞれの具体的なパラメータ及び動作方法を設定することである。
【００２９】
参考に、ＲＬＣ階層は、上位に如何なる階層が連結されたかによって、使用者平面または制御平面に属する。即ち、ＲＬＣ階層がＲＲＣ階層からデータの伝達を受けると制御平面に属し、その他の場合は使用者平面に属する。
以下、前記ＭＡＣ階層に対して詳しく説明する。
【００３０】
図３は、一般のＵＴＲＡＮのＭＡＣ階層構造図である。そして、図４乃至図７は、端末とＵＴＲＡＮにあるＭＡＣ−ｄとＭＡＣ−ｃ／ｓｈの構造を示した図である。各図面に示された矩形のブロックは、ＭＡＣ階層の各機能を示したものである。以下、それぞれの主要機能を説明する。
【００３１】
ＭＡＣ階層は、ＲＬＣと物理階層間に存在し、論理チャネルと伝送チャネル（Ｔｒａｎｓｐｏｒｔ  ｃｈａｎｎｅｌ）をマッピングさせることが主要機能である。ＭＡＣ階層でこのようなチャネルマッピング（ｃｈａｎｎｅｌ  ｍａｐｐｉｎｇ）が必要な理由は、ＭＡＣ階層の上位階層と下位階層のチャネル処理方式が異なるためである。即ち、ＭＡＣ階層の上位階層では、チャネルが伝送するデータの内容によって制御平面の制御チャネルと使用者平面のトラフィックチャネル（Ｔｒａｆｆｉｃ  Ｃｈａｎｎｅｌ）とに分けて処理する反面、ＭＡＣ階層の下位階層では、チャネルの共有可否によって共用チャネル（Ｃｏｍｍｏｎ  Ｃｈａｎｎｅｌ）と専用チャネル（Ｄｅｄｉｃａｔｅｄ  Ｃｈａｎｎｅｌ）とに分けて処理するため、ＭＡＣ階層の上・下位階層間のチャネルマッピングは重要な意味を有する。ＭＡＣ階層のチャネルマッピング関係は、図４に示したとおりである。図４は、端末側のチャネルマッピング関係を示した図である。
【００３２】
ＭＡＣ階層が有するもう一つの主要機能として、論理チャネル多重化（Ｌｏｇｉｃａｌ  ｃｈａｎｎｅｌ  ｍｕｌｔｉｐｌｅｘｉｎｇ）を挙げることができる。ＭＡＣ階層は、チャネルマッピング時に多様な論理チャネルを一つの伝送チャネルにマッピングさせることで、伝送チャネルの効率を高める多重化利得（ｍｕｌｔｉｐｌｅｘｉｎｇ  ｇａｉｎ）を得る。このような多重化は、間欠的に伝送されるシグナリング情報やパケットデータに対して利得が高いため、ＳＲＢまたはＰａｃｋｅｔ  Ｓｅｒｖｉｃｅ（ＰＳ）  ＲＡＢに対して使用される。Ｃｉｒｃｕｉｔ  Ｓｅｒｖｉｃｅ（ＣＳ）  ＲＡＢの場合はデータが連続的に伝送されるため、一般に、このような多重化機能は使用されない。
このようなＭＡＣ階層のチャネルマッピング及び論理チャネル多重化機能は、チャネル選択の柔軟性（Ｆｌｅｘｉｂｉｌｉｔｙ）及びチャネル資源の効率性（Ｅｆｆｉｃｉｅｎｃｙ）を高めるという長所があるが、このような各機能を支援するためには、次のような識別機能が必要である。
【００３３】
ＭＡＣ階層に必要な識別（Ｉｄｅｎｔｉｆｉｃａｔｉｏｎ）機能は、ＵＥ識別及び論理チャネル識別の二つに分類される。
【００３４】
第一に、前記ＵＥ識別は、多数のＵＥにより共有されるため、共用伝送チャネルで必要とする。第二に、前記論理チャネル識別は、多様な論理チャネルが一つの伝送チャネルに多重化される時に必要である。
【００３５】
従って、ＭＡＣ階層は、このような識別機能のために、ＭＡＣ  ＰＤＵのヘッダにＴＣＴＦ、ＵＥ−Ｉｄ  Ｔｙｐｅ、ＵＥ−Ｉｄ及びＣ／Ｔフィールドを挿入する。より詳しく説明すると、前記ＵＥ識別は、ＤＣＣＨやＤＴＣＨのような専用論理チャネルがＣＰＣＨ、ＤＳＣＨ、ＵＳＣＨのような共用伝送チャネルにマッピングされる時に必要である。このために、ＭＡＣ階層は、ＭＡＣ  ＰＤＵヘッダのＵＥ−ＩＤフィールドに無線網臨時識別子（Ｒａｄｉｏ  Ｎｅｔｗｏｒｋ  Ｔｅｍｐｏｒａｒｙ  Ｉｄｅｎｔｉｔｙ、ＲＮＴＩ）を追加して伝送する。このとき、ＲＮＴＩには、Ｕ−ＲＮＴＩ（ＵＴＲＡＮ  ＲＮＴＩ）、Ｃ−ＲＮＴＩ（Ｃｅｌｌ  ＲＮＴＩ）及びＤＳＣＨ−ＲＮＴＩの三つの種類があり、この三つのＲＮＴＩは、特定の端末を識別するのに使用される。そして、如何なるＲＮＴＩが使用されたかを知らせる前記ＵＥ−ＩＤ  ｔｙｐｅフィールドもＭＡＣ  ＰＤＵヘッダに追加される。
【００３６】
論理チャネルに対する識別には、二つの類型がある。即ち、Ｔａｒｇｅｔ  Ｃｈａｎｎｅｌ  Ｔｙｐｅ  Ｆｉｅｌｄ（ＴＣＴＦ）フィールドを通した識別と、専用論理チャネル識別子フィールド（以下、’Ｃｏｎｔｒｏｌ／Ｔｒａｆｆｉｃ（Ｃ／Ｔ）フィールド’という）を通した識別とがある。
【００３７】
前記ＴＣＴＦは、多様な種類の論理チャネルが多重化されるＲＡＣＨとＦＡＣＨのような共用伝送チャネルのみで要求される。例えば、ＢＣＣＨ、ＣＣＣＨ、ＣＴＣＨ及び一つ以上の専用論理チャネル（ＤＣＣＨまたはＤＴＣＨ）が同時にＦＡＣＨにマッピングされ、ＣＣＣＨと一つ以上の専用論理チャネルが同時にＲＡＣＨにマッピングされる。したがって、ＴＣＴＦは、ＲＡＣＨまたはＦＡＣＨの受信データが、ＢＣＣＨ、ＣＣＣＨ、ＣＴＣＨ及び専用論理チャネル（ＤＣＣＨまたはＤＴＣＨ）中何れのチャネルに属するかに対する論理チャネル間の識別性を提供する。このように、ＴＣＴＦは、多様な種類のチャネルで論理チャネルを識別するが、各論理チャネルの種類は識別しない。
【００３８】
然し、共用論理チャネルの場合、同一種類の各共用論理チャネル中何れか一つのチャネルのみが伝送チャネルにマッピングされるので、ＴＣＴＦも、共用論理チャネルに対する論理チャネル識別を提供する。
【００３９】
その反面、多数の専用論理チャネルは、同時にＦＡＣＨやＲＡＣＨにマッピングされる。即ち、多数のＤＣＣＨやＤＴＣＨがＦＡＣＨやＲＡＣＨにマッピングされる。したがって、専用論理チャネルに対する各専用チャネル間の識別は、論理チャネル種類の識別と共に必要である。
【００４０】
そして、このような専用論理チャネル間の識別は、Ｃ／Ｔフィールドを通して行われる。
【００４１】
専用論理チャネル間の識別は、Ｃ／Ｔフィールドを通して行われる。その理由は、第一に、共用論理チャネルと異なって、専用論理チャネルは、一つの伝送チャネルに多数マッピングされるためであって、第二に、専用論理チャネルは、前記ＳＲＮＣにあるＭＡＣ−ｄにより処理される反面、共用論理チャネルは、前記ＣＲＮＣにあるＭＡＣ−ｃ／ｓｈにより処理されるためである。同一伝送チャネルにマッピングされる多数の専用論理チャネルは、それぞれ論理チャネル識別子（Ｌｏｇｉｃａｌ  ｃｈａｎｎｅｌ  ｉｄｅｎｔｉｔｙ）を有しており、この値がＣ／Ｔフィールド値として使用される。もし伝送チャネル内に専用論理チャネルが一つだけ存在すると、Ｃ／Ｔフィールドは使用されない。
下記［表］は、ＦＤＤの場合、論理チャネルと伝送チャネルとのマッピング関係に係るＭＡＣヘッダの情報を示している。下記［表］のＣ／Ｔフィールドは、専用論理チャネル（ＤＣＣＨまたはＤＴＣＨ）が多数マッピングされる時のみに存在する。そして、ＵＥ−ＩＤフィールドは、常にＵＥ−ＩＤ  ｔｙｐｅフィールドと共に存在するので、［表］にはＵＥ−ＩＤのみに表記した。
【００４２】
【表１】
2006505209.tif 000003
前記テーブルに示されたように、ＢＣＣＨ、ＰＣＣＨ、ＣＣＣＨ及びＣＴＣＨのような共用タイプの論理チャネルは、各論理チャネルを識別するＣ／Ｔフィールドを有していない。それは、従来技術で、同一種類の多数の共用論理チャネルを単一伝送チャネルに多重化する必要がないためである。即ち、同一情報が同一種類の各共用論理チャネルに伝送されるので、受信側が同一種類の多数の共用論理チャネルを同時に受信しなくてもよい。
【００４３】
したがって、ＦＡＣＨやＲＡＣＨのような単一共用伝送チャネルは、常に単一の同一種類の各共用論理チャネルを運搬する。そして、各共用論理チャネルに対するＣ／Ｔフィールドを追加する必要がない。
【００４４】
最近、マルチメディア放送／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ；以下、’ＭＢＭＳ’と称する）という新しいサービスが提案された。前記ＭＢＭＳは、単方向のポイントツマルチポイントベアラサービス（Ｐｏｉｎｔ−ｔｏ−ｍｕｌｔｉｐｏｉｎｔ  Ｂｅａｒｅｒ  Ｓｅｒｖｉｃｅ）を利用して音声、絵、ビデオなどのマルチメディアデータを多数の端末に伝送するパケットスイッチ（ＰＳ）領域サービスである。
【００４５】
前記ＭＢＭＳデータは、多数の使用者により共有されるので、従来のように共用論理チャネルを通して伝送されるべきである。然し、前記ＭＢＭＳサービスは、マルチメディアサービスであるため、同一サービス内で異なるＱｏＳを有する多重ストリーム、あるいは異なるＱｏＳを有する多重サービスが一つの端末（ＵＥ）に提供される。即ち、同一種類の各多重共用論理チャネルは、同一伝送チャネルにマッピングされる。
【００４６】
然し、このような従来技術で、同一種類の各多重共用論理チャネルは、同一伝送チャネルにマッピングされない。これは、ＭＡＣヘッダに共用論理チャネル識別子がなく、ＭＡＣ−ｃ／ｓｈに識別機能がないためである。このように、ＭＡＣ階層に共用論理チャネルの識別子と識別機能がないことは、従来技術の問題点として指摘されてきた。
【発明の開示】
【課題を解決するための手段】
【００４７】
従って、本発明の目的は、マルチメディアサービスを提供する移動通信システムにおいて、二つ以上の同一種類の共用論理チャネルを同一伝送チャネルに多重化する論理チャネル多重化方法及びその装置を提供することにある。
このような目的を達成するために、本発明に係る論理チャネル多重化装置は、移動通信システムにおいて、同一種類の各共用論理チャネルを一つの伝送チャネルに多重化することを特徴とする。
【００４８】
望ましく、前記マルチメディアサービスは、マルチメディア放送サービスあるいはマルチメディアマルチキャストサービスである。
【００４９】
望ましく、前記各共用論理チャネルは、それぞれ異なる種類のメディアデータを伝送し、各メディアデータは、互いに異なるＱｕａｌｉｔｙ  ｏｆ  Ｓｅｖｉｃｅ（ＱｏＳ）を有する。
【００５０】
望ましく、前記多重化過程は、Ｍｅｄｉａ  Ａｃｃｅｓｓ  Ｃｏｎｔｒｏｌ（ＭＡＣ）階層で行われ、前記ＭＡＣは、Ｃｏｍｍｏｎ  ＭＡＣである。そして、前記ＭＡＣは、マルチメディア放送伝送チャネルまたはマルチメディアマルチキャスト伝送チャネルが含まれた共用伝送チャネルを管理する階層である。
望ましく、前記移動通信システムは、共用論理チャネルを識別する識別子を各共用論理チャネルに割り当てる。前記識別子の割当は、地上接続網のＲａｄｉｏ  Ｒｅｓｏｕｒｃｅ  Ｃｏｎｔｒｏｌ（ＲＲＣ）階層が担当する。
【００５１】
望ましく、各共用論理チャネルは、特定のＲａｄｉｏ  Ｌｉｎｋ  Ｃｏｎｔｒｏｌ（ＲＬＣ）階層エンティティからデータユニットを受信する。
【００５２】
このような目的を達成するために、本発明に係る論理チャネル多重化方法は、移動通信システムにおいて、同一種類の各共用論理チャネルのデータユニットを一つの伝送チャネルに多重化する過程と、多重化される各データユニットごとに識別子を付加して伝送する過程と、から構成されたことを特徴とする。
【００５３】
望ましく、前記識別子は、同一種類の各共用論理チャネル中何れか一つの特定の共用論理チャネルを識別する。
【００５４】
望ましく、前記移動通信システムは、共用論理チャネルを識別する識別子を各共用論理チャネルに割り当てる。
【００５５】
望ましく、前記識別子の割当は、地上接続網のＲＲＣ階層が担当する。
【００５６】
望ましく、前記多重化過程は、放送またはマルチキャスト伝送チャネルを含む共用伝送チャネルを管理するＭＡＣ階層で行われる。
【００５７】
このような目的を達成するために、本発明に係る論理チャネル多重化方法は、移動通信システムにおいて、同一種類の各共用論理チャネルのデータユニットを一つの伝送チャネルに多重化する過程と、多重化されたデータユニットを受信側に伝送する過程と、伝送されたデータユニットを同一種類の二つ以上の共用論理チャネルに逆多重化する過程と、から構成されたことを特徴とする。
【００５８】
前記多重化過程は、多数の同一種類の共用論理チャネルを通して受信されたデータを多重化する過程と、受信されたデータのヘッダに識別子を付けてプロトコルデータユニット（ＰＤＵ）を生成する過程と、生成されたＰＤＵを特定の伝送チャネルを通して伝送する過程と、から構成される。
【００５９】
前記逆多重化過程は、特定の伝送チャネルを通してデータを受信する過程と、受信されたデータの識別子を検査して逆多重化する過程と、前記識別子が指定する共用論理チャネルを通して、受信された各データを上位階層に伝送する過程と、から構成される。
【００６０】
望ましく、前記逆多重化過程は、放送またはマルチキャスト伝送チャネルを含む共用伝送チャネルを管理するＭＡＣ階層で行われる。
【００６１】
このような目的を達成するために、本発明に係る論理チャネル多重化方法は、マルチメディアサービスを提供する移動通信システムにおいて、伝送チャネルのデータユニットを二つ以上の共用論理チャネルに逆多重化する過程と、逆多重化される各データユニットから識別子を検出し、前記識別子が指示する共用論理チャネルに該当のデータユニットを伝送する過程と、から構成される。
【発明を実施するための最良の形態】
【００６２】
本発明は、多数の同一種類の共用論理チャネルが一つの伝送チャネルにマッピングされる場合、ＣＬＩ（Ｃｏｍｍｏｎ  Ｌｏｇｉｃａｌ  Ｃｈａｎｎｅｌ  Ｉｄｅｎｔｉｆｉｅｒ）フィールドをＭＡＣ−ｃ／ｓｈ内における該当のデータユニットのヘッダに挿入する。このとき、各共用論理チャネルは、互いに異なるＣＬＩフィールド値の割当を受け、ＣＬＩフィールドは、同一伝送チャネルに多重化される各共用論理チャネルを区別するのに使用される。
【００６３】
以下、本発明の望ましい実施形態を、図面に基づいて説明する。
【００６４】
図１３は、本発明の一実施形態に係るデータ伝送過程を示した図である。
【００６５】
図１３に示したように、本発明の一実施形態に係る論理チャネル多重化方法は、同一種類の各共用論理チャネルのデータユニットを同一伝送チャネルに多重化する過程（Ｓ１１０〜Ｓ１３０）と、多重化されたデータユニットを端末に伝送する過程（Ｓ１４０）と、伝送されたデータユニットを二つ以上の共用論理チャネルに逆多重化する過程（Ｓ１５０〜Ｓ１７０）と、から構成される。
【００６６】
前記多重化過程は、多数の共用論理チャネルを通して受信されたデータを多重化する過程（Ｓ１１０、Ｓ１２０）と、受信されたデータのヘッダに識別子を付けてプロトコルデータユニット（ＰＤＵ）を生成する過程（図示せず）と、生成されたＰＤＵを特定の伝送チャネルを通して伝送する過程（Ｓ１３０）と、から構成される。
【００６７】
前記逆多重化過程は、特定の伝送チャネルを通してデータを受信する過程と、受信されたデータの識別子を検査して逆多重化する過程（Ｓ１５０）と、前記識別子が指定する共用論理チャネルを通して、受信された各データを上位階層に伝送する過程（Ｓ１６０、Ｓ１７０）と、から構成される。
【００６８】
図９（ａ）〜（ｂ）は、本発明の一実施形態に係るＭＡＣ  ＰＤＵフォーマットを示した図で、ＰＣＣＨ、ＣＣＣＨ、ＣＴＣＨのような共用論理チャネルのデータがＦＡＣＨ、ＤＳＣＨのような共用伝送チャネルに伝送される場合のＭＡＣ  ＰＤＵフォーマットを示した図である。ＴＣＴＦとＣＬＩフィールドは、ＭＡＣ  ＰＤＵのヘッダ部分で、ＭＡＣ  ＳＤＵは、ＭＡＣ  ＰＤＵのペイロード部分である。
【００６９】
図９（ａ）〜（ｂ）に示したように、ＭＡＣ  ＰＤＵフォーマットには、二つのタイプがある。第１タイプのＭＡＣ  ＰＤＵヘッダは、ＴＣＴＦフィールドとＣＬＩフィールドを共に有する（図９（ａ）を参照）。第１タイプのＭＡＣ  ＰＤＵヘッダの前記ＴＣＴＦフィールドは、論理チャネルの種類を区別する。そして、前記ＣＬＩフィールドは、伝送チャネルが異なる種類の論理チャネルを運搬する時に使用されるもので、前記ＴＣＴＦフィールドが区別した種類の各共用論理チャネル中、特定の共用論理チャネルを区別する。
【００７０】
第２タイプのＭＡＣ  ＰＤＵヘッダは、ＣＬＩフィールドのみを有し、ＴＣＴＦフィールドは含まない（図９（ｂ）を参照）。第２タイプのＭＡＣ  ＰＤＵヘッダの前記ＣＬＩフィールドは、伝送チャネルが特定種類の論理チャネルのみを運搬する時に使用されるもので、第１タイプと同様にＭＡＣ  ＰＤＵヘッダに含まれる。然し、伝送チャネル自体が論理チャネルに対する識別性を有するため、第２タイプで前記ＴＣＴＦフィールドは不要である。
【００７１】
第１タイプのＭＡＣ  ＰＤＵヘッダは、多様な種類の論理チャネル（ＣＣＣＨやＣＴＣＨ）をマッピングするＦＡＣＨなどの共用伝送チャネルを通して伝送されるＭＡＣ  ＰＤＵに適用され、第２タイプのＭＡＣ  ＰＤＵヘッダは、一つの種類の論理チャネル（ＰＣＣＨ）をマッピングするＰＣＨなどの共用伝送チャネルを通して伝送されるＭＡＣ  ＰＤＵに適用される。
【００７２】
即ち、前記ＴＣＴＦフィールドは、伝送チャネルが多様な種類の論理チャネルを運搬する場合、ＭＡＣ  ＰＤＵヘッダに存在し、前記ＣＬＩフィールドは、同一種類の多数の共用論理チャネルが一つの伝送チャネルに多重化される場合、ＭＡＣ  ＰＤＵヘッダに存在する。
【００７３】
図１０は、本発明の一実施形態に係るＵＴＲＡＮのＭＡＣ−ｃ／ｓｈ構造を示した図で、図１１は、本発明の一実施形態に係る端末のＭＡＣ−ｃ／ｓｈ構造を示した図である。
【００７４】
図１０及び図１１に示したように、ＣＣＣＨ、ＰＣＣＨ、ＣＴＣＨのような共用論理チャネルが多重化される場合、ＭＡＣ−ｃ／ｓｈはＣ／Ｔ多重化（ＭＵＸ）機能を行う。即ち、同一種類の多数の共用論理チャネルが一つの伝送チャネルに多重化されるとき、ＭＡＣ−ｃ／ｓｈはＣ／Ｔ  ＭＵＸ機能を行う。送信側ＭＡＣ−ｃ／ｓｈのＣ／Ｔ  ＭＵＸ機能は、特定の共用論理チャネルを指示するためのＣＬＩフィールドを該当のＭＡＣ  ＰＤＵのヘッダに挿入することである。受信側ＭＡＣ−ｃ／ｓｈのＣ／Ｔ  ＭＵＸ機能は、受信したＭＡＣ  ＰＤＵのヘッダから特定の共用論理チャネルを指示するＣＬＩフィールド情報を読んだ後、ＣＬＩフィールドをそのＭＡＣ  ＰＤＵから除去することである。（本発明で、ＵＴＲＡＮが送信側であれば端末は受信側になり、端末が送信側であればＵＴＲＡＮは受信側になる。）
図１２は、本発明の一実施形態に係るＣＬＩフィールド値の割当過程を示した図である。多数の共用論理チャネルを束ねて一つの伝送チャネルに多重化することと、各共用論理チャネルにＣＬＩフィールド値を割り当てることは、ＵＴＲＡＮのＲＲＣ階層が担当する。以下、本発明の一実施形態によってＣＬＩフィールド値を割り当てる過程を、図１２に基づいて説明する。
（１）ＵＴＲＡＮのＲＲＣ階層は、一つ以上の共用論理チャネルが特定の伝送チャネルに多重化される”論理チャネル多重化情報”と共に、多重化される共用論理チャネルごとに割り当てられる”ＣＬＩフィールド値”をＵＴＲＡＮのＭＡＣ−ｃ／ｓｈ階層に伝達する。
（２）ＵＴＲＡＮのＲＲＣ階層は、前記”論理チャネル多重化情報”と前記”ＣＬＩフィールド値”を端末のＲＲＣ階層に伝達する。このとき、前記”論理チャネル多重化情報”と前記”ＣＬＩフィールド値”は、伝送チャネルを受信する各端末のＲＲＣ階層に伝達される。
（３）前記各情報を受信した端末のＲＲＣ階層は、受信された各情報を端末のＭＡＣ−ｃ／ｓｈに伝達する。
【００７５】
図１３は、本発明の一実施形態に係るＭＡＣ−ｃ／ｓｈの共用論理チャネルデータ伝送過程を示している。まず、共用論理チャネルＣＴＣＨ＃１とＣＴＣＨ＃２が一つの共用伝送チャネルＦＡＣＨに多重化されると仮定する。また、送信側はＵＴＲＡＮ、受信側は端末であると仮定する。そして、送信側ＲＬＣエンティティ＃１と受信側ＲＬＣエンティティ＃１は互いにｐｅｅｒとして動作し、送信側ＲＬＣエンティティ＃２と受信側ＲＬＣエンティティ＃２も互いにｐｅｅｒとして動作する。
【００７６】
以下、本発明の一実施形態に係るＭＡＣ−ｃ／ｓｈの共用論理チャネルデータ伝送過程を、図１３に基づいて説明する。
（１）ＣＴＣＨ＃１を通して、送信側ＲＬＣエンティティ＃１はＭＡＣ  ＳＤＵ＃１を送信側ＭＡＣ−ｃ／ｓｈ階層に伝達する。
（２）ＣＴＣＨ＃２を通して、送信側ＲＬＣエンティティ＃２はＭＡＣ  ＳＤＵ＃２を送信側ＭＡＣ−ｃ／ｓｈ階層に伝達する。
（３）送信側ＭＡＣ−ｃ／ｓｈはＣＴＣＨ＃１とＣＴＣＨ＃２を多重化し、ＭＡＣ  ＳＤＵ＃１にＣＬＩフィールドが含まれたＭＡＣヘッダを添付してＭＡＣ  ＰＤＵ＃１を構成する。このとき、ＭＡＣ  ＰＤＵ＃１のヘッダに含まれたＣＬＩフィールド値は、論理チャネルＣＴＣＨ＃１を示す情報を有する。このような方式で、ＭＡＣ  ＳＤＵ＃２にＣＬＩフィールドが含まれたＭＡＣヘッダを添付してＭＡＣ  ＰＤＵ＃２を構成する。このとき、ＭＡＣ  ＰＤＵ＃２のヘッダに含まれたＣＬＩフィールド値は、論理チャネルＣＴＣＨ＃２を示す情報を有する。
（４）送信側ＭＡＣ−ｃ／ｓｈは、ＦＡＣＨチャネルを通して前記ＭＡＣ  ＰＤＵ＃１とＭＡＣ  ＰＤＵ＃２を物理階層に伝達する。そして、空中インターフェース（ａｉｒ  ｉｎｔｅｒｆａｃｅ）を通して、前記ＭＡＣ  ＰＤＵ＃１とＭＡＣ  ＰＤＵ＃２は受信側の物理階層に伝達される。
受信側の物理階層は、ＦＡＣＨチャネルを通して、受信した前記ＭＡＣ  ＰＤＵ＃１とＭＡＣ  ＰＤＵ＃２を受信側ＭＡＣ−ｃ／ｓｈに伝達する。
（５）受信側ＭＡＣ−ｃ／ｓｈは、受信されたＭＡＣ  ＰＤＵ＃１とＭＡＣ  ＰＤＵ＃２に含まれたＣＬＩフィールドを検査し、論理チャネルＣＴＣＨ＃１とＣＴＣＨ＃２にそれぞれ伝達する。詳しくは、受信側ＭＡＣ−ｃ／ｓｈは、前記各ＭＡＣ  ＰＤＵのヘッダからＣＬＩフィールド値を検出し、検出されたＣＬＩフィールド値が論理チャネルＣＴＣＨ＃１に対する情報であるか、またはＣＴＣＨ＃２に対する情報であるかを検査する。そして、検査結果によって、逆多重化を行う。
（６）検出されたＣＬＩフィールド値が論理チャネルＣＴＣＨ＃１に対する情報であると、該当のＭＡＣ  ＰＤＵは、論理チャネルＣＴＣＨ＃１を通して受信側ＲＬＣエンティティ＃１に伝達される。（受信が正確である場合、そのＭＡＣ  ＰＤＵは前記ＭＡＣ  ＰＤＵ＃１である）
（７）検出されたＣＬＩフィールド値が論理チャネルＣＴＣＨ＃２に対する情報であると、該当のＭＡＣ  ＰＤＵは、論理チャネルＣＴＣＨ＃２を通して受信側ＲＬＣエンティティ＃２に伝達される。（受信が正確である場合、そのＭＡＣ  ＰＤＵは前記ＭＡＣ  ＰＤＵ＃２である）
【産業上の利用可能性】
【００７７】
従って、本発明に係るＭＡＣ−ｃ／ｓｈは、同一種類の共用論理チャネルに対して多重化と逆多重化機能を行う。そして、新しく提案されたＣＬＩフィールドは、各共用論理チャネルを区別するために使用される。よって、同一種類の多数の共用論理チャネルを一つの伝送チャネルに多重化することができる。
【００７８】
結果的に、本発明によると、異なるＱｏＳを有する多重サービス、あるいは一つのサービスで異なるＱｏＳを有する多重ストリームが一つの端末（ＵＥ）に提供され、このような本発明の特徴は、次世代の移動通信システムが有すべき重要な機能である。
【００７９】
本発明に係る移動通信システムの論理チャネル多重化装置及びその方法は、前述した実施形態に限定されず、本発明の技術思想が許容する範囲内で多様に変形して実施することができる。
【図面の簡単な説明】
【００８０】
【図１】図１は、一般的なＵＭＴＳ網の構造図である。
【図２】図２は、３ＧＰＰ無線接続網規格に基づく一つの端末とＵＴＲＡＮ間の無線接続インターフェースプロトコルの構造図である。
【図３】図３は、一般的なＵＴＲＡＮのＭＡＣ階層構造図である。
【図４】図４は、一般的な端末のＭＡＣ−ｃ／ｓｈ構造図である。
【図５】図５は、一般的なＵＴＲＡＮのＭＡＣ−ｃ／ｓｈ構造図である。
【図６】図６は、一般的な端末のＭＡＣ−ｄ構造図である。
【図７】図７は、一般的なＵＴＲＡＮのＭＡＣ−ｄ構造図である。
【図８】図８は、論理チャネルと伝送チャネルとのマッピング関係（ＵＥ側）を示した図である。
【図９】図９（ａ）、９（ｂ）は、本発明の一実施形態に係るＭＡＣ  ＰＤＵフォーマットを示した図である。
【図１０】図１０は、本発明の一実施形態に係るＵＴＲＡＮのＭＡＣ−ｃ／ｓｈ構造図である。
【図１１】図１１は、本発明の一実施形態に係る端末のＭＡＣ−ｃ／ｓｈ構造図である。
【図１２】図１２は、本発明の一実施形態に係るＣＬＩフィールド値の割当過程を示した図である。
【図１３】図１３は、本発明の一実施形態に係るデータ伝送過程を示した図である。
【図１】
2006505209.tif 000004
【図２】
2006505209.tif 000005
【図３】
2006505209.tif 000006
【図４】
2006505209.tif 000007
【図５】
2006505209.tif 000008
【図６】
2006505209.tif 000009
【図７】
2006505209.tif 000010
【図８】
2006505209.tif 000011
2006505209.tif 000012
【図１０】
2006505209.tif 000013
【図１１】
2006505209.tif 000014
【図１２】
2006505209.tif 000015
【図１３】
2006505209.tif 000016
【国際調査報告】
2006505209.tif 000017
2006505209.tif 000018